(57)【特許請求の範囲】
【請求項１】
コンクリート打設のために、幅方向に一定間隔を置いて配置して空間部が形成されるようにし、且つ長さ方向に連続して直立配置される複数のせき板の各縁部を互いに連結して前記せき板が直線に配列されるようにするＨバーであって、
前記向かい合うそれぞれのせき板の縁部の端面が、両側面にそれぞれ当接して止まるようにする係止壁体と、
前記係止壁体の幅方向の両端部でそれぞれ長さ方向の前後に直角延長されて前記せき板の縁部の前後面を覆って固定する縁連結部と、
を備えてなり、
前記幅方向に離れて配置された一対のせき板を横切って型枠の縁と直交するフラットタイに対して、
前記係止壁体の一側に、前記フラットタイが挿入安着するように凹んだタイ着座溝がさらに設けられており、
前記せき板を幅方向に横切るフラットタイが複数個設けられ、
前記せき板の凹溝部に前記複数のフラットタイのいずれか一つのフラットタイが貫通するように形成されるタイ貫通孔に対して、
前記各縁連結部の先端部において前記タイ貫通孔と一致する一側が切り取られて前記フラットタイが貫通するようにする切り取り部がさらに設けられていることを特徴とする、Ｈバー。
【請求項２】
前記縁連結部によって覆われる前記せき板の該当する縁部に設けられて、前記縁連結部が前記せき板の前後面と同一平面上に置かれるようにする凹溝部に対して、
前記縁連結部の幅方向の間隔は、前記せき板の縁部の前後厚さと同一の大きさを有することを特徴とする、請求項１に記載のＨバー。
【請求項３】
前記係止壁体と当接する前記せき板の縁部の前後角部にそれぞれ設けられた傾斜面に対して、
前記傾斜面に対応する、前記Ｈバーの係止壁体と縁連結部とが会う内側コーナー部に、それぞれ、前記傾斜面としっかりと接触する傾斜面が設けられていることを特徴とする、請求項１に記載のＨバー。
【請求項４】
前記せき板の縁部に形成された貫通孔及び該貫通孔を貫通して固定される別途の固定ピンに対して、
前記縁連結部の幅方向の一直線上に置かれる一側部には、前記縁連結部の間に配置された前記せき板の縁部の貫通孔と一直線上に置かれた状態で、前記固定ピンが貫通して前記せき板が前記縁連結部に固定されるようにするピン貫通孔が設けられることを特徴とする、請求項１に記載のＨバー。
【請求項５】
前記切り取り部は、前記せき板のタイ貫通孔を貫通したフラットタイの端部をコンクリート打設後に上下に振って切断する際、前記フラットタイの上方への動きを妨害しないようにその上方が開放され、その下端部にフラットタイの下面を支える支持突部が設けられていることを特徴とする、請求項１に記載のＨバー。
【請求項６】
前記縁連結部の進入先端部の内側角部に、進入する前記せき板の縁部を円滑に前記縁連結部の内側に導く案内傾斜面がそれぞれ設けられていることを特徴とする、請求項１に記載のＨバー。
【請求項７】
コンクリート打設のための直立壁体用せき板の上端部に水平状態に配置されるスラブ用せき板の縁部を互いに連結して、前記せき板を水平配列させると同時に、前記せき板の下面に配置されてサポートによって支えられる木材と連結されるＨバーであって、
前記向かい合うそれぞれのせき板の縁部の端面が、両側面にそれぞれ当接して止まるようにする係止壁体と、
前記係止壁体の上下方向の両端部でそれぞれ幅方向前後に直角延長されて、前記せき板の縁部の上下面を覆って固定させる縁連結部と、
前記係止壁体の上下に貫通形成され、打撃空間部を通してその下方の木材に別途の釘を貫通固定させるための釘貫通孔と、
を備えてなり、
前記せき板の縁部に形成された貫通孔及び該貫通孔を貫通して固定される別途の固定ピンに対して、
前記縁連結部の幅方向の一直線上に置かれる一側部には、前記縁連結部の間に配置された前記せき板の縁部の貫通孔と一直線上に置かれた状態で、前記固定ピンが貫通して前記せき板が前記縁連結部に固定されるようにするピン貫通孔が設けられていることを特徴とする、Ｈバー。
【請求項８】
直立壁体用せき板を連結するために、
前記向かい合うそれぞれのせき板の縁部の端面が、両側面にそれぞれ当接して止まるようにする係止壁体と、
前記係止壁体の幅方向の両端部でそれぞれ長さ方向の前後に直角延長されて前記せき板の縁部の前後面を覆って固定する縁連結部と、
を備えてなり、
前記幅方向に離れて配置された一対のせき板を横切って型枠の縁と直交するフラットタイに対して、
前記係止壁体の一側に、前記フラットタイが挿入安着するように凹んだタイ着座溝がさらに設けられており、
前記せき板を幅方向に横切るフラットタイが複数個設けられ、
前記せき板の凹溝部に前記複数のフラットタイのいずれか一つのフラットタイが貫通するように形成されるタイ貫通孔に対して、
前記各縁連結部の先端部において前記タイ貫通孔と一致する一側が切り取られて前記フラットタイが貫通するようにする切り取り部がさらに設けられていることを特徴とするＨバーを準備するステップと、
幅方向に一定間隔で離れると同時に長さ方向に連続するようにして複数個のせき板を直立配置するステップと、
前記長さ方向に連続するせき板の向かい合うそれぞれの縁部を該当の縁連結部に挿入して前記Ｈバーにてせき板同士を連結するステップと、
前記幅方向に配置されたせき板にフラットタイを貫通させて前記せき板の幅方向における設定間隔が維持されるようにするステップと、
を含む、Ｈバーを用いた型枠設置方法。
【請求項９】
スラブ用せき板を連結するためのＨバーを準備し、
コンクリート打設のための直立壁体用せき板の上端部で水平状態に配置されるスラブ用せき板の向かい合う縁部を前記スラブ用Ｈバーで互いに連結して前記せき板を水平に配列させた後、
前記せき板の下面にサポートによって支えられている木材と前記スラブ用Ｈバーを釘で連結固定させるステップをさらに含むことを特徴とする、請求項８に記載のＨバーを用いた型枠設置方法。
【発明の詳細な説明】
【技術分野】
【０００１】
本発明は、コンクリート打設後に解体せずに建築用の内・外部断熱材として用いられる断熱性非金属製（例えば、スタイルフォームのような発泡フォーム材質、プラスチック材質）のせき板（型枠板）を連結するために用いるＨバー及びこれを用いた型枠設置方法に関する。
【背景技術】
【０００２】
一般に、建物などの施工時に、建物の外形をなす壁体を形成するために、壁体の型枠をなす複数のせき板と、複数のせき板の間に打ち込まれるコンクリート中に埋め立てられながら心棒の機能を果たすと同時に、せき板の外側に突出した端部には、せき板の間におけるコンクリート圧力を支えるためにくさびでフックなどを連結して横支持バー（パイプ）などを設置したり、又はせき板間の互いに当接する連結部位を覆って補強するための補強板を取り付けるためのフラットタイなどの建築材料が使われている。
【０００３】
一例として、従来の、建物の壁体を形成するための過程を概略的に説明すると、複数のせき板を幅方向に一定間隔を置いて配置するとともに長さ方向に連続するように直立に配列した後、このせき板間の空間にコンクリートを打設し養生することによって、所定の直立壁体を完成することができる。
【０００４】
そして、直立壁体の上端部に層板（スラブ）を形成する過程は、直立壁体の上端部に木材を水平方向に配置し、これらの木材上にさらに合板を配置して釘で固定し、その後、合板上に断熱（防塵）発泡スチロールを敷き、コンクリート打設後に木材及び合板を取り外す方法を用いる。
【０００５】
一方、せき板を長さ方向に連続して配列する際には、例えば、複数のせき板の側端部をワイヤーなどで互いに連結して長さ方向に壁体の長さを延長させることができる。
【０００６】
しかしながら、従来技術によるせき板の長さ方向への延長設置時に、せき板同士を連結するための別途の連結部材が設けられていないことから、ワイヤー連結などによる作業が複雑である他、ワイヤー連結による連結状態が強固とならず、コンクリート打設時にコンクリートの荷重によってせき板の長さ方向の連結状態が崩れる恐れがある。
【発明の概要】
【発明が解決しようとする課題】
【０００７】
本発明は、上記のような問題点を解決するために案出されたもので、コンクリート打設のために、幅方向に一定間隔を置いて配置されると同時に長さ方向に連続して直立配置される直壁用の複数のせき板の各縁部を互いに連結してこれらのせき板を直線配列させ、且つ直壁用せき板の上端部で水平配置される複数の層板用（スラブ用）せき板の各縁部を互いに連結してこれらのせき板を水平配列させることによって、基本的に、せき板の連結が迅速且つ容易となって作業が簡便化し、その作業時間も大幅に短縮して、全般的に作業能率の向上につながるようにするＨバー並びに該Ｈバー及び非金属製型枠を用いた型枠設置方法を提供することに目的がある。
【０００８】
また、せき板同士の縁部を強固に連結してコンクリート荷重に安定して耐えるようにすることによって、作業安全性の付与による信頼性の向上を図ることができるＨバー並びにＨバー及び非金属製せき板を用いた型枠設置方法を提供することに他の目的がある。
【課題を解決するための手段】
【０００９】
上記の目的を達成するための本発明の一実施例に係るＨバーは、コンクリート打設のために、幅方向に一定間隔を置いて配置して空間部が形成されるようにし、且つ長さ方向に連続して直立配置される複数のせき板の各縁部を互いに連結して前記せき板が直線に配列されるようにするＨバーであって、前記向かい合うそれぞれのせき板の縁部の端面が、両側面にそれぞれ当接して止まるようにする係止壁体と、前記係止壁体の幅方向の両端部でそれぞれ長さ方向の前後に直角延長されて前記せき板の縁部の前後面を覆って固定する縁連結部と、を備える。
【発明の効果】
【００１０】
以上の如く、本発明のＨバー、並びにＨバー及び非金属製型枠板を用いた型枠設置方法は、コンクリート打設のために、幅方向に一定間隔を置いて配置されると同時に長さ方向に連続して直立配置される直壁用の複数のせき板の各縁部を互いに連結してこれらのせき板を直線配列させ、且つ直壁用せき板の上端部で水平配置される複数の層板用（スラブ用）せき板の各縁部を互いに連結してこれらのせき板が水平配列させることによって、基本的に、せき板の連結が迅速且つ容易となって作業が簡便化し、その作業時間も大幅に短縮し、全般的に作業能率の向上につながることができる。
【００１１】
また、発泡スチロール製のせき板を使用すると、コンクリート打設後に解体せずに建物壁体の内・外部断熱材として用いることができ、工程を画期的に減らすことができる。
【００１２】
また、せき板同士の縁部を強固に連結してコンクリート荷重に安定して耐えるようにすることによって、作業安全性の付与による信頼性の向上を図ることができる。
【図面の簡単な説明】
【００１３】
【図１】本発明の一実施例に係るＨバーを示す斜視図である。
【図２】本発明の一実施例に係るＨバーを用いたせき板の設置過程を示す概略斜視図である。
【図３】本発明の一実施例に係るＨバーを用いたせき板の設置過程を示す概略平断面図である。
【図４】本発明の他の実施例に係るＨバーを示す概略断面図である。
【図５】本発明の他の実施例に係るＨバーを用いたスラブ形のせき板の設置状態を示す概略断面図である。
【図６】本発明の実施例で使用できるせき板の一例を示す斜視図である。
【発明を実施するための形態】
【００１４】
以下、添付の図面を参照して本発明を説明する。
【００１５】
図１乃至図３に示すように、本発明の一実施例に係るＨバーは、コンクリート打設のために、幅方向に一定間隔を置いて配置して空間部が形成されるようにし、且つ長さ方向に連続して直立配置される複数のせき板１０の各縁部を互いに連結して、これらのせき板１０が長さ方向に沿って直壁形に配列されるようにする機能を果たす。
そして、Ｈバー３０は、向かい合うそれぞれのせき板１０の縁部の端面が、両側面にそれぞれ当接して止まるようにする係止壁体３２、及び係止壁体３２の幅方向の両端部でそれぞれ長さ方向の前後に直角延長されてせき板１０の縁部の前後面を覆って固定する縁連結部３３を含む構成となっている。
【００１６】
そして、縁連結部３３によって覆われるせき板１０の該当する縁部には、縁連結部３３がせき板１０の前後面と同一平面上に置かれるようにする凹溝部１２（図６参照）が設けられており、縁連結部３３の幅方向の間隔は、せき板１０の縁部の前後厚さと同一の大きさになっている。
【００１７】
そして、係止壁体３２と当接するせき板１０の縁部の前後角部にそれぞれ傾斜面１３が形成され、これに対応する、Ｈバー３０の係止壁体３２と縁連結部３３とが会う内側コーナー部には、それぞれ、傾斜面１３としっかりと接触する傾斜面３４が形成されている。
【００１８】
そして、せき板１０の縁部の凹溝部１２に形成された貫通孔１２ａ（図６参照）及び貫通孔１２ａを貫通して固定される別途の固定ピン５５に対して、縁連結部３３の幅方向の一直線上に置かれる一側部には、縁連結部３３の間に配置されたせき板１０の縁部の貫通孔１２ａと一直線上に置かれた状態で、固定ピン５５が貫通してせき板１０が縁連結部３３に固定されるようにするピン貫通孔３３ａが設けられている。
【００１９】
ここで、固定ピン５５は、長い棒状を有し、貫通孔１２ａ，３３ａを貫通して固定された状態で相互連結させる機能を有し、かつＰＶＣ材質とすることができる。
【００２０】
そして、幅方向に離れて配置された一対のせき板１０を横切ってこのせき板１０の縁と直交するフラットタイ２０に対して、係止壁体３２の一側に、フラットタイ２０が挿入安着するように凹んだタイ着座溝３１が設けられている。
【００２１】
そして、せき板１０を幅方向に横切るフラットタイ２０が複数個設けられ、せき板１０の凹溝部１２に複数のフラットタイ２０のいずれか一つのフラットタイ２０が貫通するように形成されたＴ字状のタイ貫通孔１２ｂ（図６参照）に対して、各縁連結部３３の先端部においてタイ貫通孔１２ｂと一致する一側が切り取られてフラットタイ２０が貫通するようにする切り取り部３３ｂが設けられている。
【００２２】
そして、切り取り部３３ｂは、せき板１０のタイ貫通孔１２ｂを貫通したフラットタイ２０の端部をコンクリート打設後に上下に振って切断する際、該フラットタイ２０の上方への動きを妨害しないようにその上方が開放され、その下端部にはフラットタイ２０の下面を支える支持突部３３ｃが設けられている。
【００２３】
そして、縁連結部３３の進入先端部の内側角部に、進入するせき板１０の縁部を円滑に縁連結部３３の内側に導く案内傾斜面３３ｄがそれぞれ設けられている。
【００２４】
一方、図４及び図５に示すように、本発明の他の実施例に係るＨバーは、コンクリート打設のための直立壁体用せき板１０の上端部に水平状態に配置されるスラブ用せき板１５の縁部を互いに連結して、せき板１５を水平配列させると同時に、せき板１５の下面に配置されてサポート５６によって支えられる木材５７をせき板１５に連結してせき板１５を強固に固定させる機能を果たす。
【００２５】
そして、Ｈバー３５は、向かい合うそれぞれのせき板１５の縁部の端面が両側面にそれぞれ当接して止まるようにする係止壁体３５ａと、係止壁体３５ａの上下方向の両端部でそれぞれ幅方向前後に直角延長されて、せき板１５の縁部の上下面を覆って固定させる縁連結部３５ｂと、係止壁体３５ｂの上下に貫通形成されて、下方の木材５７に別途の釘５８を貫通固定させるための釘貫通孔３５ｃと、を含む構成となっている。
【００２６】
そして、釘貫通孔３５ｃの上方には、槌などで釘５８を打つための打撃空間部３５ｄが設けられている。
【００２７】
未説明符号４０は、直壁用せき板１０とスラブ用せき板１５とを直角連結するためのコーナーバーを表す。
【００２８】
一方、図２に示すように、せき板１０の外側に露出されたフラットタイ２０の両端くさび孔２１ａを通しては別途のフック（図示せず）をくさび（図示せず）で連結し、該フックに横支持バー（図示せず）を設置できるようになっている。
【００２９】
ここで、横支持バーとせき板１０との間の空間には、横支持バーを支持するための別途の角材（図示せず）を配置することができる。
【００３０】
また、横支持バーを設置する前に、図２に示すように、せき板１０の外側に露出されたフラットタイ２０の両端くさび孔２１ａを介して別途の補強板５４を装着し、連続するせき板１０の連結部位を補強できるようになっている。
【００３１】
このように構成された本発明のＨバーを用いる型枠設置方法について説明する。まず、直立壁体用せき板１０を連結するためのＨバー３０を準備する。
【００３２】
その後、幅方向に一定間隔で離れると同時に長さ方向に連続するようにして複数個のせき板１０を直立配置する。
【００３３】
この時、長さ方向に連続するせき板１０の向かい合うそれぞれの縁部をＨバー３０の縁連結部３３に挿入してＨバー３０にてせき板１０同士を連結する。
【００３４】
ここで、固定ピン５５を使ってＨバー３０とせき板１０の縁部とを連結固定させる。
【００３５】
続いて、幅方向に配置されたせき板１０にフラットタイ２０を貫通させてせき板１０の幅方向における設定間隔が維持されるようにし、これで直壁形のせき板１０の設置を完了する。
【００３６】
一方、スラブを製作するために、スラブ用せき板１５を連結するためのＨバー３５を準備する。
【００３７】
その後、コンクリート打設のための直立壁体用せき板１０の上端部で水平状態に配置されるスラブ用せき板１５の向かい合う縁部をスラブ用Ｈバー３５で互いに連結してせき板１５を水平配列させる。
【００３８】
この時にも同様、固定ピン５５を使ってＨバー３５とスラブ用せき板１５の縁部とを連結固定させる。
【００３９】
続いて、せき板１５の下面にサポート５６によって支えられている木材５７とスラブ用Ｈバー３５を釘５８で連結固定させ、これでスラブ形のせき板１５をさらに設置する。
【００４０】
そして、直壁形のせき板１０の外側に露出されたフラットタイ２０の両端くさび孔２１ａを介して補強板５４を装着し、さらにフックを連結して横支持バーなどを設置する。
【００４１】
この状態で、直立形のせき板１０間の空間、及びスラブ用せき板１５の上方からコンクリートを打設し養生し、所定の建物用の直立壁体及びスラブを完成することができる。
【符号の説明】
【００４２】
１０…せき板
１２…凹溝部
１２ａ…貫通孔
１２ｂ…タイ貫通孔
１３…傾斜面
１５…スラブ用せき板
２０…フラットタイ
２１ａ…両端くさび孔
３０…Ｈバー
３１…タイ着座溝
３２…係止壁体
３３…縁連結部
３３ａ…ピン貫通孔
３３ｂ…切り取り部
３３ｃ…支持突部
３３ｄ…案内傾斜面
３４…傾斜面
３５…Ｈバー
３５ａ…係止壁体
３５ｂ…縁連結部
３５ｃ…釘貫通孔
３５ｄ…打撃空間部
４０…コーナーバー
５５…固定ピン
５６…サポート
５７…木材
５８…釘
【図１】
0005965544.tif 000002
【図２】
0005965544.tif 000003
【図３】
0005965544.tif 000004
【図４】
0005965544.tif 000005
【図５】
0005965544.tif 000006
【図６】
0005965544.tif 000007